【手続補正書】
【提出日】平成18年5月23日(2006.5.23)
【手続補正１】
【補正対象書類名】特許請求の範囲
【補正対象項目名】全文
【補正方法】変更
【補正の内容】
【特許請求の範囲】
【請求項１】
（ａ）少なくとも１つのエステル−アミド、
（ｂ）場合によっては、少なくとも１つのβ−ヒドロキシアルキルアミド官能基および
（ｃ）（ｂ）以外の少なくとも１つの反応性官能基
を含んでなる縮合生成物であって、
存在するならば（ｂ）がモル基準で（ｂ）および（ｃ）の合計の５０％以下を占める縮合生成物。
【請求項２】
（ｃ）がカルボキシル、イソシアネート、エポキシド、ヒドロキシルおよびアルコキシシランから選択される請求項１に記載の縮合生成物。
【請求項３】
前記縮合生成物がモノマー型エステル−アミド、オリゴマー型エステル−アミドおよびポリマー型エステル−アミドの群から選択されるエステル−アミドを含有する請求項１に記載の縮合生成物。
【請求項４】
（ｂ）が
【化１】
2005528487.tif 000001
であり、
Ｒ1、Ｒ2、Ｒ3およびＲ4は、相互に独立に、同一であるか、あるいは異なってもよく、Ｈ、直鎖あるいは分岐鎖のアルキル、（Ｃ6−Ｃ10）アリールであってもよく、あるいはＲ1およびＲ3またはＲ2およびＲ4は連結して、前記組み合わせと一緒になって、（Ｃ3−Ｃ20）シクロアルキル基を形成してもよく；ｍは１〜４であり、そしてＲ5は
【化２】
2005528487.tif 000002
であり、そして
Ｒ1、Ｒ2、Ｒ3、Ｒ4およびｍは上記に定義した通りである
請求項１に記載の縮合生成物。
【請求項５】
前記縮合生成物の官能基が本質的に（ｃ）からなる請求項１に記載の縮合生成物。
【請求項６】
モル基準で４〜４８の範囲の全官能基数を有する請求項１に記載の縮合生成物。
【請求項７】
モル基準で少なくとも８の全官能基数を有する請求項１に記載の縮合生成物。
【請求項８】
モル基準で８〜２４の全官能基数を有する請求項１に記載の縮合生成物。
【請求項９】
請求項１−８のいずれか１つに記載の縮合生成物および無機粒子状物質を含んでなる組成物。
【請求項１０】
請求項１−８のいずれか１つに記載の縮合生成物およびマット活性化剤を含んでなる組成物。
【請求項１１】
反応性バインダーおよび請求項１−８のいずれか１つに記載の縮合生成物を含んでなる粉末コーティング組成物。
【請求項１２】
無機粒子状物質を更に含んでなる請求項１１に記載の粉末コーティング組成物。
【請求項１３】
マット活性化剤を更に含んでなる請求項１１に記載の粉末コーティング組成物。
【請求項１４】
無機粒子状物質および請求項１−８のいずれか１つに記載の縮合生成物を粉末コーティング組成物に添加することを含んでなる粉末コーティングをマット化する方法。
【手続補正２】
【補正対象書類名】明細書
【補正対象項目名】０１８０
【補正方法】変更
【補正の内容】
【０１８０】
このように、膜の性質の良好な保持と連動し、マット化化合物の比率の増加と共に光沢の減少が起こり、これは上記で述べたマット化化合物の更なる望ましい特性を示す。
本発明の好適な実施の態様は次のとおりである。
１．  （ａ）少なくとも１つのエステル−アミド、
（ｂ）場合によっては、少なくとも１つのβ−ヒドロキシアルキルアミド官能基および
（ｃ）（ｂ）以外の少なくとも１つの反応性官能基
を含んでなる縮合生成物であって、
存在するならば（ｂ）がモル基準で（ｂ）および（ｃ）の合計の５０％以下を占める縮合生成物。
２．  （ｃ）がカルボキシル、イソシアネート、エポキシド、ヒドロキシルおよびアルコキシシランから選択される上記１に記載の縮合生成物。
３．  前記縮合生成物がモノマー型エステル−アミド、オリゴマー型エステル−アミドおよびポリマー型エステル−アミドの群から選択されるエステル−アミドを含有する上記１に記載の縮合生成物。
４．  （ｂ）が
【化１】
2005528487.tif 000003
であり、
Ｒ1、Ｒ2、Ｒ3およびＲ4は、相互に独立に、同一であるか、あるいは異なってもよく、Ｈ、直鎖あるいは分岐鎖のアルキル、（Ｃ6−Ｃ10）アリールであってもよく、あるいはＲ1およびＲ3またはＲ2およびＲ4は連結して、前記組み合わせと一緒になって、（Ｃ3−Ｃ20）シクロアルキル基を形成してもよく；ｍは１〜４であり、そしてＲ5は
【化２】
2005528487.tif 000004
であり、そして
Ｒ1、Ｒ2、Ｒ3、Ｒ4およびｍは上記に定義した通りである
上記１に記載の縮合生成物。
５．  （ｃ）がカルボキシル、イソシアネート、エポキシド、ヒドロキシルおよびアルコキシシランから選択される上記４に記載の縮合生成物。
６．  前記縮合生成物の官能基が本質的に（ｃ）からなる上記１に記載の縮合生成物。
７．  モル基準で約４〜約４８の範囲の全官能基数を有する上記１に記載の縮合生成物。
８．  モル基準で少なくとも８の全官能基数を有する上記１に記載の縮合生成物。
９．  モル基準で約８〜約２４の全官能基数を有する上記１に記載の縮合生成物。
１０．  上記１−９のいずれか１つに記載の縮合生成物および無機粒子状物質を含んでなる組成物。
１１．  前記無機粒子状物質が無機酸化物を含んでなる上記１０に記載の組成物。
１２．  前記無機粒子状物質がシリカまたは酸化アルミニウムを含んでなる上記１０に記載の組成物。
１３．  上記１−９のいずれか１つに記載の縮合生成物およびマット活性化剤を含んでなる組成物。
１４．  前記マット活性化剤がヒドロカルビルホスホニウム塩である上記１３に記載の組成物。
１５．  反応性バインダーおよび上記１−９のいずれか１つに記載の縮合生成物を含んでなる粉末コーティング組成物。
１６．  前記反応性バインダーがエポキシ、エポキシ−ポリエステル、ポリエステル−アクリル、ポリエステル−プリミド、ポリウレタンおよびポリアクリルからなる群から選択されるポリマーを含んでなる上記１５に記載の粉末コーティング組成物。
１７．  無機粒子状物質を更に含んでなる上記１５に記載の粉末コーティング組成物。
１８．  前記無機粒子状物質が無機酸化物を含んでなる上記１７に記載の粉末コーティング組成物。
１９．  前記無機粒子状物質がシリカまたはアルミナを含んでなる上記１７に記載の粉末コーティング組成物。
２０．  マット活性化剤を更に含んでなる上記１５に記載の粉末コーティング組成物。
２１．  前記マット活性化剤がヒドロカルビルホスホニウム塩である上記２０に記載の粉末コーティング組成物。
２２．  無機粒子状物質および上記１−９のいずれか１つに記載の縮合生成物を粉末コーティング組成物に添加することを含んでなる粉末コーティングをマット化する方法。
２３．  前記無機粒子状物質が無機酸化物である上記２２に記載の方法。
２４．  前記無機粒子状物質がシリカまたは酸化アルミニウムを含んでなる上記２２に記載の方法。
２５．  前記無機粒子状物質および前記縮合生成物に加えて、マット活性化剤を前記粉末コーティング組成物に添加する上記２２に記載の方法。
２６．  前記マット活性化剤が触媒／共反応剤である上記２５に記載の方法。
２７．  前記粉末コーティングが反応性バインダーを含んでなり、そしてエポキシ、エポキシ−ポリエステル、ポリエステル−アクリル、ポリエステル−プリミド、ポリウレタン、およびポリアクリからなる群から選択されるポリマーを含んでなる上記２２に記載の方法。
２８．  前記触媒／共反応剤が式
【化３】
2005528487.tif 000005
のホスホニウム塩であり、ここで各Ｒは独立にヒドロカルビルあるいは不活性に置換されたヒドロカルビル基であり、Ｚはヒドロカルビルあるいは不活性に置換されたヒドロカルビル基であり、そしてＸは任意の好適なアニオンである
上記２６に記載の方法。
２９．  前記触媒／共反応剤がヒドロカルビルホスホニウム塩である上記２８に記載の方法。